(57)【要約】【課題】  リムーバブルメモリへの読み書き中に静電気を帯びた人間がリムーバブルメモリに触れてもリムーバブルメモリに記憶されているデータが消失しないカード読み書き装置、プリンタ及び画像入出力装置を提供する。【解決手段】  本発明に係るカード読み書き装置、プリンタ及び画像入出力装置は、リムーバブルメモリが略水平方向から挿入されるカードスロットと、柔軟性を有し、前記カードスロットの前面に暖簾状に垂下する除電体と、を備える。リムーバブルメモリに触れる場合、指先で暖簾状の除電体を掻き分けてからリムーバブルメモリに触れることになる。このため、リムーバブルメモリに触れる前に指先が除電体に触れて除電される。【選択図】  図１
2005071167.tif 000002
【特許請求の範囲】
【請求項１】
リムーバブルメモリが略水平方向から挿入されるカードスロットと、
柔軟性を有し、前記カードスロットの前面に暖簾状に垂下する除電体と、
を備えることを特徴とするカード読み書き装置。
【請求項２】
前記除電体は、除電ブラシであることを特徴とする請求項１に記載のカード読み書き装置。
【請求項３】
前記除電体は、除電布であることを特徴とする請求項１に記載のカード読み書き装置。
【請求項４】
請求項１、２又は３に記載のカード読み書き装置と、
前記カード読み書き装置に挿入されたリムーバブルメモリに記録されているデータを印刷する印刷手段と、
を備えることを特徴とするプリンタ。
【請求項５】
請求項４に記載のプリンタと、
原稿を走査してディジタル画像データを作成し、作成したディジタル画像データを前記カード読み書き装置によりリムーバブルメモリに記録する画像読み取り手段と、
を備えることを特徴とする画像入出力装置。
【発明の詳細な説明】
【技術分野】
【０００１】
本発明はカード読み書き装置、プリンタ及び画像入出力装置に関する。
【背景技術】
【０００２】
リムーバブルメモリを挿入するためのカードスロットを有するカード読み書き装置が知られている。カード読み書き装置は例えばパーソナルコンピュータやプリンタ等にケーブルで接続されたりあるいは一体に設けられ、カードスロットに挿入されたリムーバブルメモリへのデータの書き込みやリムーバブルメモリからのデータの読み込みを行う。
【発明の開示】
【発明が解決しようとする課題】
【０００３】
カード読み書き装置には、リムーバブルメモリに記憶されているデータの読み込み中、あるいはリムーバブルメモリへのデータの書き込み中に静電気を帯びた人間がリムーバブルメモリに触れると、リムーバブルメモリに記憶されているデータが消失してしまうことがあるという問題がある。特に、リムーバブルメモリがカードスロットに完全に挿入されず一部がカードスロットから突出した状態で読み書きを行うカード読み書き装置の場合は、リムーバブルメモリに直接触れ易いためその危険性が増大する。
【０００４】
本発明は、かかる問題に鑑みて創作されたものであって、リムーバブルメモリへの読み書き中に静電気を帯びた人間がリムーバブルメモリに触れてもリムーバブルメモリに記憶されているデータが消失しないカード読み書き装置、プリンタ及び画像入出力装置を提供することを目的とする。
【課題を解決するための手段】
【０００５】
上記目的を達成するため、本発明に係るカード読み書き装置は、リムーバブルメモリが略水平方向から挿入されるカードスロットと、柔軟性を有し、前記カードスロットの前面に暖簾状に垂下する除電体と、を備えることを特徴とする。このカード読み書き装置によると、リムーバブルメモリに触れる場合、指先で暖簾状の除電体を掻き分けてからリムーバブルメモリに触れることになる。このため、リムーバブルメモリに触れる前に指先が除電体に触れて除電される。よってこのカード読み書き装置によると、リムーバブルメモリへの読み書き中に静電気を帯びた人間がリムーバブルメモリに触れてもリムーバブルメモリに記憶されているデータが消失しない。
【０００６】
さらに本発明に係るカード読み書き装置では、前記除電体は、除電ブラシであることを特徴とする。除電ブラシは柔らかい除電毛を有するため掻き分けることが容易であり、従ってリムーバブルメモリの挿入や取り出しが容易である。
さらに本発明に係るカード読み書き装置では、前記除電体は、除電布であることを特徴とする。除電布は柔らかいため掻き分けることが容易であり、従ってリムーバブルメモリの挿入や取り出しが容易である。
【０００７】
上記目的を達成するため、本発明に係るプリンタでは、請求項１、２又は３に記載のカード読み書き装置と、前記カード読み書き装置に挿入されたリムーバブルメモリに記録されているデータを印刷する印刷手段と、を備えることを特徴とする。このプリンタによると、プリンタで印刷するデータをリムーバブルメモリから読み込んでいるときに静電気を帯びた人間がリムーバブルメモリに触れたとしても、リムーバブルメモリに記録されているデータが消失することを防止できる。
【０００８】
上記目的を達成するため、本発明に係る画像入出力装置では、請求項４に記載のプリンタと、原稿を走査してディジタル画像データを作成し、作成したディジタル画像データを前記カード読み書き装置によりリムーバブルメモリに記録する画像読み取り手段と、を備えることを特徴とする。この画像入出力装置によると、画像読み取り手段で作成したディジタル画像データをリムーバブルメモリに書き込んでいるときに静電気を帯びた人間がリムーバブルメモリに触れたとしても、リムーバブルメモリに記録されているデータが消失することを防止できる。
【０００９】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１０】
以下、本発明を実施するための最良の形態を実施例に基づいて説明する。本実施例では画像読み取り手段としての画像読み取り装置と印刷手段としてのプリンタとが一体化された所謂複合機を例に説明する。
図２は、本発明の一実施例に係る複合機１を示す模式図である。複合機１は、画像読み取り装置としてのスキャナ部２とプリンタとしてのプリンタ部３とを備えている。原稿カバー１１はヒンジにより原稿台６１の盤面を開放した姿勢から原稿台６１の盤面を覆う姿勢に揺動可能に筐体１２に連結されている。原稿カバー１１は原稿台６１の盤面に載置された反射原稿Ｍを押さえるとともに、光源３３（図３参照）の放射光以外の光が原稿Ｍを照らすことがないよう原稿台６１を覆うものである。
【００１１】
図３は複合機１の構成を示す模式図であり、図４は複合機１のハードウェア構成を示すブロック図である。
リニアイメージセンサ３０は、フォトダイオード等の受光素子が図３において紙面垂直方向に直線状に並ぶ姿勢でキャリッジ３１に搭載されている。リニアイメージセンサ３０は、可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１２】
縮小光学系３２は、光源３３、ミラー３４及びレンズ３５などで構成され、キャリッジ３１に搭載されている。光源３３は蛍光管ランプ等の管照明装置から構成されており、ミラー３４及びレンズ３５は光源３３に照射された原稿Ｍの走査線上の反射光像をリニアイメージセンサ３０に結像させる。これにより原稿Ｍの主走査線上の光学像をリニアイメージセンサ３０に入力する。尚、光源の位置を変えることにより透過原稿を読み取るようにしてもよい。
【００１３】
第一主走査駆動部３６（図４参照）は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
副走査手段としての第一副走査駆動部３７（図４参照）は、リニアイメージセンサ３０の長手方向に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１４】
ＡＦＥ（Analog Front End）部４１（図４参照）は、アナログ信号処理部、Ａ／Ｄ変換器等から構成される。アナログ信号処理部は、リニアイメージセンサ３０から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００１５】
ディジタル画像処理部４２（図４参照）は、ＡＦＥ部４１から出力された出力信号に対し、ガンマ補正、画素補間法による欠陥画素の補間、シェーディング補正、画像信号の鮮鋭化等の処理を行ってディジタル画像データを作成する。尚、ディジタル画像処理部４２で施す上記各種の処理は、制御部５６で実行するコンピュータプログラムによる処理に置き換えてもよい。
【００１６】
記録ヘッド４３は、キャリッジ４４に設けられ、インクを吐出する複数のノズル４５、ピエゾ素子４６、インクを導くインク通路４７などを備える。ピエゾ素子４６はインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。
【００１７】
ヘッド駆動部４８（図４参照）は、制御部５６（図４参照）から出力される印刷信号に基づいて駆動電圧をピエゾ素子４６に印加する回路である。
第二主走査駆動部４９（図４参照）は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１の軸方向（Ｘ方向）に往復移動する。
【００１８】
第二副走査駆動部５４（図４参照）は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図３において紙面に垂直な方向（副走査方向）に印刷用紙Ｍが移動する。
【００１９】
図４に示すように、制御部５６はＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８は各種のプログラムやデータを記憶しているメモリであり、ＲＡＭ５９は各種のプログラムやデータを一時的に記憶するメモリである。例えばカード読み書き部１６に挿入されたリムーバブルメモリ１８に記録されているデータを印刷する場合、制御部５６はカード読み書き部１６を制御してデータを読み取り、２値化などの処理を行った後、プリンタ部３を制御して印刷を実行する。また、例えばスキャナ部２で原稿を読み取った場合、読み取って作成したディジタル画像を、カード読み書き部１６を制御してリムーバブルメモリ１８に書き込む。
【００２０】
操作部１７は、読み取りボタン、コピーボタン、印刷ボタン、プレスキャンで読み取った画像からコピーする画像を選択したり所定のメニューから設定項目を選択したりするための上ボタンや下ボタンなどの複数の押しボタン、プレスキャンで読み取った画像やメニューを表示するための表示装置、エラーを通知するためのＬＥＤなどを備える。ユーザはそれら各種のボタンを操作することによって複合機１に対して印刷やその他必要な指示を入力することができる。尚、制御部５６と操作部１７とはスキャナ部２としてもプリンタ部３としても機能する。
【００２１】
図５は、除電ブラシを取り付ける前のカード読み書き部１６の正面図である。カード読み書き装置としてのカード読み書き部１６は、リムーバブルメモリ１８が挿入されるカードスロット１９、メモリコントローラなどを備える。カード読み書き部１６は制御部５６（図４参照）によって制御され、リムーバブルメモリ１８に記憶されている印刷対象のデータを読み込んで複合機１に入力する。また、スキャナ部２で原稿を読み取って作成したディジタル画像データをリムーバブルメモリ１８に記録する指示が入力されている場合は、作成したディジタル画像データをリムーバブルメモリ１８に書き込む。カード読み書き部１６は概ね鉛直な面を有する壁部７０を有し、壁部７０に複数のカードスロット１９を有している。カード読み書き部１６は規格の異なる複数のリムーバブルメモリ１８を読み書き可能であり、複数のカードスロット１９はそれぞれ特定の規格に応じた形状に形成されている。鉛直な面を有する壁部７０にカードスロット１９が設けられているため、各リムーバブルメモリ１８は略水平方向からカードスロット１９に挿入される。
【００２２】
図１は、除電ブラシを取り付けた後のカード読み書き部１６の正面図である。除電体としての除電ブラシ７１は図示するようにカードスロット１９の前面に暖簾状に垂れ下がっている。除電ブラシ７１はアクリル繊維に銅イオンを封じ込めた有機導電性繊維などを材料とする多数の柔らかい除電毛７３と、壁部７０に沿って水平方向に直線状に延びる導電性の止め付け部材７２とを有し、各除電毛７３の一端部は止め付け部材７２に接着などにより固定されている。止め付け部材７２は図６に示すようにカードスロット１９の上方で壁部７０から反筐体１２側に突出して取り付けられており、除電毛７３は壁部７０に接触することなく垂れ下がっている。除電ブラシ７１によって人体から除電された静電気は、カード読み書き部１６を介して筐体１２に設けられているアースから逃がされる。尚、止め付け部材７２を直接接地するようにしてもよい。また、本実施例では除電体として除電ブラシ７１を例に説明するが、高分子材料にカーボン等の導電性材料を添加したものや導電性ポリマーなどで形成した除電布を暖簾状にして垂れ下げるようにしてもよい。
【００２３】
次に、リムーバブルメモリ１８の挿入と取り出しとについて説明する。
カードスロット１９にリムーバブルメモリ１８を挿入する場合、例えば手で除電毛７３の下端を上に持ち上げてカードスロット１９の前面に除電毛７３がかからないようにし、その状態でカードスロット１９に挿入する。
カードスロット１９に挿入されているリムーバブルメモリ１８を取り出す場合、指で除電毛７３を掻き分けてリムーバブルメモリ１８のカードスロット１９から突出している端部を掴み、反筐体１２側に引き抜く。
【００２４】
以上説明した本発明の一実施例に係る複合機１によると、カードスロット１９の前面に除電ブラシ７１が暖簾状に垂れ下がっているため、カードスロット１９に挿入されているリムーバブルメモリ１８に触れようとする場合、必ずその前に除電ブラシ７１に触れることになる。このため、リムーバブルメモリ１８の読み込み中あるいはリムーバブルメモリ１８に書き込み中に静電気を帯びた人間がカードスロット１９に挿入されているリムーバブルメモリ１８に触れようとしたとしてもその前に必ず除電ブラシ７１によって除電される。よって複合機１によると、リムーバブルメモリ１８への読み書き中に静電気を帯びた人間がリムーバブルメモリ１８に触れても、リムーバブルメモリ１８に記憶されているデータが消失しない。
【００２５】
尚、本実施例ではカード読み書き装置を複合機に設ける場合を例に説明したが、カード読み書き装置はケーブルを介してパーソナルコンピュータやプリンタなどに接続されるものであってもよいし、パーソナルコンピュータに内蔵するようにしてもよい。また、ディジタルカメラに内蔵してもよい。
【図面の簡単な説明】
【００２６】
【図１】本発明の一実施例に係るカード読み取り装置の正面図。
【図２】本発明の一実施例に係る画像入出力装置の模式図。
【図３】本発明の一実施例に係る画像入出力装置の模式図。
【図４】本発明の一実施例に係る画像入出力装置のブロック図。
【図５】本発明の一実施例に係るカード読み取り装置の正面図。
【図６】本発明の一実施例に係る除電ブラシの断面図。
【符号の説明】
【００２７】
１  複合機（画像入出力装置）、２  スキャナ部（画像読み取り手段）、３  プリンタ部（印刷手段）、１６  カード読み書き部（カード読み書き装置）、１８  リムーバブルメモリ、１９  カードスロット、７１  除電ブラシ（除電体）
【図１】
2005071167.tif 000003
【図２】
2005071167.tif 000004
【図３】
2005071167.tif 000005
【図４】
2005071167.tif 000006
【図５】
2005071167.tif 000007
【図６】
2005071167.tif 000008